(57)【特許請求の範囲】
【請求項１】
断面コ字形をなし、開口側を外側にして平台３の周縁に固定される長尺状のメス部材１と；
前記メス部材１の内側に安定的に嵌め込むことができる外寸を有する断面コ字形の長尺状の挿入固定部４の一方の側壁上端縁から斜下方に向ってオーバーハング状に腕部５が一体的に延設され、更にこの腕部５の先端に比較的深いコ字形の溝６を有する挿入ポケット部７を一体的に設けたオス部材２；
とからなり、平台３に取付けようとする腰布１６の上縁を棒状をなした芯材１７に巻き付け、その状態で腰布１６の上部を前記挿入ポケット部７の溝６に差し込むことにより、腰布１６を取りはずし自在に吊支できる様にしたことを特徴とする平台用腰布固定具。
【請求項２】
メス部材１、オス部材２、芯材１７がいずれも金属製であることを特徴とする請求項１記載の平台用腰布固定具。
【請求項３】
メス部材１とオス部材２とが面ファスナー１１によって着脱自在に結合されていることを特徴とする請求項１記載の平台用腰布固定具。
【発明の詳細な説明】
【０００１】
【産業上の利用分野】
この発明は平台用腰布固定具、詳しくは、腰布を簡単に着脱できる作業性にすぐれた平台用腰布固定具に関するものである。
【０００２】
【従来の技術】
化粧板など板状体の下面に脚を取付けた平台は、展示会場やパーティ会場における仮設用テーブルとして多く利用されている。そして、この平台においては、外観を整え、美感を向上させる為、その周囲に腰布と呼ばれている布を垂らし、脚を覆い隠すことが多く行われている。
【０００３】
【発明が解決しようとする課題】
腰布を垂らすことにより、その内側は見えなくなるので、使い古した資材でも使用できる為、この腰布の取付けは極めて有用である。従来においては、平台へのこの腰布の取付けは、平台の周縁部に腰布の上端部分をステイプラーを用いて釘針を打ち付けることによって行われていた。
【０００４】
しかしながら、ステイプラーにより釘針の打ち付けは、腰布を保持しながら行わねばならず、大変手間がかかると共に、平台周縁部に針穴が残ってしまう為、何回も腰布の取付け、取りはずしを繰り返すと、平台周縁部が穴だらけになり、傷んでしまうという問題があった。又、腰布自体も、その撤去の際に、平台から無理に取りはずそうとすると、裂けてしまうことがあった。
【０００５】
展示会場やパーティ会場での平台の設置、平台への腰布の取付け，腰布の取りはずし、平台の撤去などは仮設資材という特質上、極めて限られた時間内にスピーディに行わねばならないことが多く、従来の固定方法は、全体の作業能率向上の上からもネックとなっていた。
【０００６】
本発明者は、平台への腰布の取付け、取りはずしに関する上記問題点を解決する手法を鋭意研究した結果、取付け取りはずしが極めて容易で、平台、腰布とも傷付かず、何回でも再利用可能な便利な平台用腰布固定具を開発することに成功し、本発明として、ここに提案するものである。
【０００７】
【課題を解決するための手段】
断面コ字形をなし、開口側を外側にして平台３の周縁に固定される長尺状のメス部材１と、前記メス部材１の内側に安定的に嵌め込むことができる外寸を有する断面コ字形の長尺状の挿入固定部４の一方の側壁上端縁から斜下方に向ってオーバーハング状に腕部５が一体的に延設され、更にこの腕部５の先端に比較的深いコ字形の溝６を有する挿入ポケット部７を一体的に設けたオス部材２とから平台用腰布固定具を構成し、平台３に取付けようとする腰布１６の上縁を棒状をなした芯材１７に巻き付け、その状態で腰布１６の上部を前記挿入ポケット部７の溝６に差し込むことにより、腰布１６を取りはずし自在に吊支できる様にすることにより、上記課題を解決せんとするものである。
【０００８】
【実施の形態】
図１は、この発明に係る平台用腰布固定具の一実施形態の要部の拡大断面図、図２は実際に平台に腰布を装着した状態の一部を切欠いて描いた正面図である。
【０００９】
この発明に係る平台用腰布固定具は、メス部材１とオス部材２とからなっている。メス部材１は平台３の周縁に固定されるものであり、断面コ字形をなした長尺状の軽金属製チャンネル材であり、図１に示す様に、その開口側を外側にして平台３の周縁に取付けられる。
【００１０】
一方、オス部材２は、前記メス部材１の内側に安定的に嵌め込める外寸を有する断面コ字形の長尺状の挿入固定部４と、この挿入固定部４の一方の側壁の上端縁から斜め下方に向ってオーバーハング状に一体的に延設された腕部５と、この腕部５の先端に同じく一体的に形成された比較的深いコ字形の溝６を有する挿入ポケット部７とからなるものであり、挿入ポケット部７の外側の側壁上端縁にはかえし部８が形成されている。この実施の形態において、このオス部材２も軽合金製である。なお、このオス部材２の挿入固定部４の外底面９とメス部材１の内底面１０との間には若干の空隙が形成される様になっており、オス部材２とメス部材１とはこの外底面９と内底面１０とにそれぞれ貼付された面ファスナー１１、１１を係合させることにより、着脱自在に結合される様になっている。
【００１１】
更に、図中、１２は回し縁であり、オス部材２の挿入固定部４の内側開口溝１３に挿入される基部１４に肉厚幅広の縁本体１８を取付けたものであり、平台の装飾あるいは外観向上の為、その周縁に固定されるものである。この縁本体１８は木あるいは合成樹脂を素材としている。なお、図示は省略したが、この回し縁１２と挿入固定部４との固定も、面ファスナーによって行われる。
【００１２】
次に、この平台用腰布固定具の使用方法を説明すると、平台３に取付けようとする腰布１６の上縁を棒状の芯材１７に巻き付け、その状態で、腰布１６の上部をオス部材２の挿入ポケット部７の溝６内に落し込む。すると、腰布１６の上部は自重及び芯材１７の重さにより、挿入ポケット部７の前端縁に振り分け状に保持され、安定的に吊持されることになる。芯材１７はある程度の重さを有するものが好ましく、この実施の形態においては細長い金属板を用いた。なお、挿入ポケット部７の前端縁にはかえし部８が形成されているので、芯材１７に巻かれた腰布１６が挿入ポケット部７から意に反して抜け出てしまうことを防いでいる。
【００１３】
一方、腰布１６を挿入ポケット部７からはずしたいときは、芯材１７が巻かれている腰布１６の上部を挿入ポケット部７の開口部の方向に向って斜めに持ち上げれば、容易に腰布１６を挿入ポケット部７から離脱させることが出来る。
【００１４】
【発明の効果】
この発明に係る平台用腰布固定具は上記の通りの構成を有するものであり、腰布１６の上縁に巻き付けた芯材１７の重さによって、腰布１６を安定的に吊支しようとするものであり、従来のステイプラーを用いて釘針を打ち付ける場合の様に、平台や腰布を傷めることはなく、取付け、取りはずし共、極めて容易であり、パーティ会場や展示会場設営の合理化、スピードアップ、低コスト化に資することができるすぐれた効果を有する。
【図面の簡単な説明】
【図１】この発明に係る平台用腰布固定具の一実施形態の要部の拡大断面図。
【図２】同じく、実際に平台に装着した状態の一部を切欠いて描いた正面図。
【符号の説明】
１    メス部材
２    オス部材
３    平台
４    挿入固定部
５    腕部
６    溝
７    挿入ポケット部
８    かえし部
９    外底面
１０    内底面
１１    面ファスナー
１２    回し縁
１３    内側開口溝
１４    基部
１５    縁本体
１６    腰布
１７    芯材
１８    縁本体
【図１】
0003754914.tif 000002
【図２】
0003754914.tif 000003